【事件の表示】
　特願２００３−　４３８９７「固体撮像装置およびその駆動方法」拒絶査定不服審判事件〔平成１６年　９月２４日出願公開、特開２００４−２６６３６９〕について、次のとおり審決する。
【結　論】
　本件審判の請求は、成り立たない。
【理　由】
　
第１.経緯
　
１.手続
　本願は、平成１５年２月２１日の出願であって、平成１７年７月１日付けで拒絶査定された。
　本件は、本願についてされた上記拒絶査定を不服とする平成１７年８月４日の審判請求であり、平成１７年９月５日付けで手続補正書が提出された。
　
　
２.査定
　原査定の理由２は、概略、以下のとおりである。
　
　　　　　　　　　　　　　　理　由　２
　本願の請求項に係る発明は、下記刊行物１〜５に記載された発明および周知技術に基づいて当業者が容易に発明をすることができたものであるから、特許法第２９条第２項の規定により、特許を受けることができない。
　　　　　　　　　　　　　　　　記
　刊行物１：特開２００１−２９２４５３号公報
　刊行物２：特開２００１−２９２３７６号公報
　刊行物３：特開平９−２４７６８９号公報
　刊行物４：特開２００２−３２０１４６号公報
　刊行物５：特開平１１−１４６２７８号公報
　
　
　
　
第２.補正の却下の決定
　平成１７年９月５日付けの手続補正（以下「本件補正」という）について、以下のとおり決定する。
　
［結論］
　平成１７年９月５日付けの手続補正を却下する。
　
［理由］
　
１.本件補正の内容
　本件補正は、本件補正前、平成１６年８月２日付け手続補正書により補正された特許請求の範囲についてする以下の補正を含むものである。
　
［補正前］
「【請求項１】　画素が行列状に配列されるとともに、各画素に所定のカラーコーディングを持つカラーフィルタが形成されているＸ−Ｙアドレス型固体撮像素子と、
　前記固体撮像素子から画素情報を間引いて読み出す過程において、行配列方向および列配列方向にて互いに隣接する複数の画素からなる画素ブロックを単位画素ブロックとし、当該単位画素ブロック内の行配列方向における同色フィルタの画素情報を擬似的に１画素分の画素情報として読み出す駆動手段と
　を備えたことを特徴とする固体撮像装置。
　【請求項２】　画素が行列状に配列されるとともに、４行４列を単位とし、その単位の繰り返しのカラーコーディングを持つカラーフィルタが各画素に形成されているＸ−Ｙアドレス型固体撮像素子と、
　前記固体撮像素子から画素情報を間引いて読み出す過程において、ｋを０以上の正の整数とするとき、（２ｋ＋３）×（２ｋ＋３）の画素ブロックを単位画素ブロックとし、４行４列よりも少ない数の画素を含む画素ブロックが重なり合うことなく敷き詰められた状態で各単位画素ブロック内の同色フィルタの画素情報を擬似的に１画素分の画素情報として読み出す駆動手段と
　を備えたことを特徴とする固体撮像装置。
　【請求項３】　画素が行列状に配列されるとともに、４行４列を単位とし、その単位の繰り返しのカラーコーディングを持つカラーフィルタが各画素に形成されているＸ−Ｙアドレス型固体撮像素子を用いた固体撮像装置の駆動方法であって、
　前記固体撮像素子から画素情報を間引いて読み出す過程において、ｋを０以上の正の整数とするとき、（２ｋ＋３）×（２ｋ＋３）の画素ブロックを単位画素ブロックとし、４行４列よりも少ない数の画素を含む画素ブロックが重なり合うことなく敷き詰められた状態で各単位画素ブロック内の同色フィルタの画素情報を擬似的に１画素分の画素情報として読み出す
　ことを特徴とする固体撮像装置の駆動方法。
　【請求項４】　ｋ＝０のとき、３×３の単位画素ブロックの配列に対して仮想画素行名ａ，ｂ，…、仮想画素列名ａ，ｂ，…をそれぞれ付し、
　単位画素ブロックのａ行ａ列目の出力として画素配列の１，３行目の１列目および２行目の３列目の画素情報を加算して出力し、次いで単位画素ブロックのａ行ｂ列目の出力として画素配列の１，３行目の６列目および２行目の４列目の画素情報を加算して出力し、以下同様に最終列または最終列付近まで加算して出力し、
　しかる後、単位画素ブロックのｂ行ａ列目の出力として画素配列の４，６行目の１列目および５行目の３列目の画素情報を加算して出力し、次いで単位画素ブロックのｂ行ｂ列目の出力として画素配列の４，６行目の６列目および５行目の４列目の画素情報を加算して出力し、以下同様の操作を繰り返して間引き加算しながら、任意の全画素を読み出す
　ことを特徴とする請求項３記載の固体撮像装置の駆動方法。
　【請求項５】　ｋ＝０のとき、３×３の単位画素ブロックの配列に対して仮想画素行名ａ，ｂ，…、仮想画素列名ａ，ｂ，…をそれぞれ付し、
　単位画素ブロックのａ行ａ列目の出力として画素配列の１，３行目の１列目および２行目の３列目の画素情報を加算して出力し、次いで単位画素ブロックのａ行ｂ列目の出力として画素配列の１，３行目の４列目および２行目の６列目の画素情報を加算して出力し、以下同様に最終列または最終列付近まで加算して出力し、
　しかる後、単位画素ブロックのｂ行ａ列目の出力として画素配列の４，６行目の１列目および５行目の３列目の画素情報を加算して出力し、次いで単位画素ブロックのｂ行ｂ列目の出力として画素配列の４，６行目の４列目および５行目の６列目の画素情報を加算して出力し、以下同様の操作を繰り返して間引き加算しながら、任意の全画素を読み出す
　ことを特徴とする請求項３記載の固体撮像装置の駆動方法。」
　
　の記載を、
　
［補正後］
「【請求項１】　画素が行列状に配列されるとともに、２行２列を単位とし、その単位の繰り返しのカラーコーディングを持つカラーフィルタが各画素ごとに形成されているＸ−Ｙアドレス型固体撮像素子と、
　前記固体撮像素子から画素情報を間引いて読み出す過程において、ｋを０以上の正の整数とするとき、（２ｋ＋３）×（２ｋ＋３）の画素ブロックを単位画素ブロックとし、当該単位画素ブロックにおいてブロック中心の画素と同色のフィルタを持つ画素の情報を行配列方向および列配列方向において加算して擬似的に１画素分の画素情報として読み出す駆動手段と
　を備えたことを特徴とする固体撮像装置。
　【請求項２】　画素が行列状に配列されるとともに、２行２列を単位とし、その単位の繰り返しのカラーコーディングを持つカラーフィルタが各画素ごとに形成されているＸ−Ｙアドレス型固体撮像素子を用いた固体撮像装置の駆動方法であって、
　前記固体撮像素子から画素情報を間引いて読み出す過程において、ｋを０以上の正の整数とするとき、（２ｋ＋３）×（２ｋ＋３）の画素ブロックを単位画素ブロックとし、当該単位画素ブロックにおいてブロック中心の画素と同色のフィルタを持つ画素の情報を行配列方向および列配列方向において加算して擬似的に１画素分の画素情報として読み出す　ことを特徴とする固体撮像装置の駆動方法。」
　
　と補正すること。
　
　
　
２.本件補正の適合性
　
(１)補正の範囲（第１７条の２第３項）
　
　補正後の請求項１、２には「ｋを０以上の正の整数とするとき、（２ｋ＋３）×（２ｋ＋３）の画素ブロックを単位画素ブロックとし、当該単位画素ブロックにおいてブロック中心の画素と同色のフィルタを持つ画素の情報を行配列方向および列配列方向において加算して擬似的に１画素分の画素情報として読み出す」とある。
　
　しかし、この記載事項に関するものとして、願書に最初に添付した明細書には、「一般式で表すと、（２ｋ＋３）×（２ｋ＋３）の画素ブロック（ｋは０以上の正の整数）を単位画素ブロックとし、当該単位ブロック内の同色の画像情報をすべて加算することにより、擬似的に画素面積を増加させ、」（段落【００３７】）等の記載があるのみで、「ブロック中心の画素と同色のフィルタを持つ画素の情報」を加算するといった記載は一切ない。
　そして、段落【００３７】の一般式に対応する実施例としてｋ＝０（第２図）、ｋ＝１（第３図）、ｋ＝２（第４図）の３例が挙げられているところ、これら３例のうち、「ブロック中心の画素と同色のフィルタを持つ画素の情報を行配列方向および列配列方向において加算して擬似的に１画素分の画素情報として読み出す」構成に該当するのはｋ＝１（第３図）の場合のみであり、他のｋ＝０、ｋ＝２の場合はその構成に当てはまらない。
　
　以上のことからすれば、ｋ＝１の実施例は、たまたま「ブロック中心の画素と同色のフィルタを持つ画素の情報を行配列方向および列配列方向において加算して擬似的に１画素分の画素情報として読み出す」構成に該当しているにすぎないものと理解するのが相当であり、ブロック中心の画素の色やｋの値を特定しない「ｋを０以上の正の整数とするとき、（２ｋ＋３）×（２ｋ＋３）の画素ブロックを単位画素ブロック」において、「ブロック中心の画素」が持つフィルタの色に着目し、それと「同色のフィルタを持つ画素の情報を行配列方向および列配列方向において加算して擬似的に１画素分の画素情報として読み出す」とする技術思想が、願書に最初に添付した明細書又は図面に開示されていたとすることはできない。
　
　以上のとおりであるから、「ｋを０以上の正の整数とするとき、（２ｋ＋３）×（２ｋ＋３）の画素ブロックを単位画素ブロックとし、当該単位画素ブロックにおいてブロック中心の画素と同色のフィルタを持つ画素の情報を行配列方向および列配列方向において加算して擬似的に１画素分の画素情報として読み出す」は、願書に最初に添付した明細書又は図面に記載した事項の範囲を超えるものである。
　
　したがって、本件補正は、願書に最初に添付した明細書又は図面に記載した事項の範囲内においてする補正ではない。
　
　
(２)補正の目的（第１７条の２第４項第１号ないし第４号）
　
　本件補正前各請求項（以下「旧請求項」という）と本件補正後各請求項（以下「新請求項」という）とを比較する。
　
　新請求項１は、旧請求項１の「カラーフィルタ」について、「２行２列を単位とし、その単位の繰り返しのカラーコーディングを持つ」ものとし、旧請求項１の「単位画素ブロック」について、「ｋを０以上の正の整数とするとき、（２ｋ＋３）×（２ｋ＋３）の画素ブロック」であるとし、旧請求項１の「駆動手段」が「擬似的に１画素分の画素情報として読み出す」「画素情報」について、「行配列方向における同色フィルタの画素情報」とあったのを、「ブロック中心の画素と同色のフィルタを持つ画素の情報を行配列方向および列配列方向において加算」したものに補正したものと一応みることができる。
　しかし、「駆動手段」についてみた場合、旧請求項１には「行配列方向における同色フィルタの画素情報を擬似的に１画素分の画素情報として読み出す」とある以上、旧請求項１でいう「擬似的に１画素分の画素情報として読み出す」動作は、単位画素ブロックにおいて行配列方向について行うものであるところ、新請求項１でいう「同色のフィルタを持つ画素の情報を行配列方向および列配列方向において加算」する動作は、単位画素ブロックにおいて行配列方向だけでなく列配列方向についても行うものであるから、旧請求項１の「単位画素ブロック内の行配列方向における同色フィルタの画素情報を擬似的に１画素分の画素情報として読み出す駆動手段」を減縮したものとはいえない。
　また、旧請求項に係る発明について述べた平成１６年８月２日付け意見書には、旧請求項１の「駆動手段」が、段落【００４４】の記載事項に基づいたものであるとされており、当該段落は、第６図にあるような列配列方向
のみ
のみ
のみ
のみ
　よって、新請求項１の「単位画素ブロックにおいてブロック中心の画素と同色のフィルタを持つ画素の情報を行配列方向および列配列方向において加算して擬似的に１画素分の画素情報として読み出す」は、旧請求項１の「単位画素ブロック内の行配列方向における同色フィルタの画素情報を擬似的に１画素分の画素情報として読み出す」を減縮したものとはいえないから、新請求項１は、旧請求項１を、特許法第１７条の２第４項第２号でいう「減縮」したものとはいえない。
　また、新請求項１は、「カラーコーディング」について、旧請求項２、３が規定する「４行４列を単位とし、その単位の繰り返し」であるとする特定構成を有していないから、旧請求項２、３及び旧請求項３を引用する旧請求項４、５のいずれの請求項を減縮したものともいえない。
　よって、新請求項１に明白に対応する旧請求項の存在は認められない。
　
　新請求項２は、新請求項１に係る装置の発明を方法の発明として特定したものであるから、新請求項１と同様、旧請求項１ないし５のいずれの請求項を減縮したものともいえず、明白に対応する旧請求項の存在は認められない。
　
　以上のとおり、本件補正は、特許請求の範囲に関し、新たな請求項を新請求項１、２として追加するものであって、それぞれの項に明白に対応する旧請求項は存在せず、いずれの旧請求項を減縮したものともいえないものであるから、特許法第１７条の２第４項に規定する、請求項の削除（第１号）、特許請求の範囲の減縮（第２号）のいずれを目的とするものでもない。
　そして、誤記の訂正（第３号）、明りょうでない記載の釈明（第４号）のいずれを目的とするものでもないことは明らかである。
　
　
(３)むすび（決定）
　したがって、本件補正は、特許法第１７条の２第３項及び第４項の規定に適合しないものであるから、特許法第１５９条第１項の規定において読み替えて準用する同法第５３条第１項の規定により却下すべきものである。
　
　
　
　
第３.本願発明
　平成１７年９月５日付けの手続補正は上記のとおり却下した。
　本願請求項１に係る発明は、平成１６年８月２日付け手続補正書により補正された特許請求の範囲の請求項１に記載された事項により特定されるとおりのもの（以下「本願発明」という）である。
　
　
　
　
第４.査定の検討
　
１.刊行物の記載
　原査定の拒絶の理由に引用例３として引用された刊行物である特開平９−２４７６８９号公報（以下「刊行物３」という）には、図面と共に以下の事項が記載されている。
　
(１)「図１は、本発明の第１及び第２の実施の形態に係るカラー撮像装置の構成を示す図である。」（段落【００２５】）
　
(２)「同図において、被写体光を結像するための撮影レンズ１の後方には、前面にカラーフィルタを配置し、マトリクス状に配列した複数の画素からなる撮像素子２が配置されている。駆動制御回路３は、上記撮像素子２に接続され、撮像素子２の駆動に必要な各種信号を供給する。」（段落【００２６】）
　
(３)「図２は、上記撮像素子２の構成を示す図である。撮像素子には、画素の信号を所定の順序で読み出すＣＣＤ（Charge Coupled Device ）の他に、複数の画素の中から任意の位置の画素を選択して信号を読み出すことができる、いわゆるＸＹアドレス方式のものがある。本発明に用いる上記撮像素子２はこのＸＹアドレス方式のものである。」（段落【００２９】）
　
(４)「上記のように構成された撮像素子２おいて、垂直走査シフトレジスタ９からの出力信号で、上記各画素に設けられた半導体スイッチがオンした行の画素の信号が、その画素が接続されているそれぞれの列の出力線に読み出される。この信号は、水平走査シフトレジスタ１０により駆動される上記スイッチｓｗ１、ｓｗ２、ｓｗ３、・・・を介して出力端子から順次読み出される。この時に、垂直走査シフトレジスタ９と水平走査シフトレジスタ１０のどちらか一方叉は両者で複数の画素を選択して、複数の画素の信号を混合して読み出すことも可能である。例えば、垂直走査シフトレジスタ９で１行と３行を選択し、水平走査シフトレジスタ１０で４列と６列を選択すれば、（４（列）、１（行））、（４、３）、（６、１）、（６、３）の４画素の信号が加算されて読み出される。」（段落【００３１】）
　
(５)「また、上記の図３に示す実施例では、水平方向に４画素、垂直方向に４画素の１６画素からなる基本単位の中から４画素分の画像信号を加算して読み出しているが、加算する画素数は４画素に限定されない。但し、画像を間引いて出力する場合は、画像のサンプリング間隔が広くなるので、折り返し歪の発生を防止するために上記の実施例のように複数画素を加算して、開口のレスポンスを低下させることが望ましい。」（段落【００４２】）
　
(６)「図４に、本発明の第１の実施の形態に係る撮像素子２のカラーフィルタの他の実施例を示す。」（段落【００４４】）
　
(７)「同図（ａ）に示すカラーフィルタの配列は周知の色差順次配列であり、Ｙｅ（Yellow）Ｍｇ（Magenta ）Ｃｙ（Cyan）Ｇ（Green ）の各カラーフィルタはそれぞれ等分に分けて配置されている。このような配列のカラーフィルタを前面に配置した撮像素子２の出力信号を水平・垂直共に１／４に間引いて、読み出す画素数を１／１６とする。この場合、単純に間引いて、（ｘ列、ｙ行）の画像信号を（１、１）、（５、１）（９、１）、・・・；（１、５）、（５、５）、（９、５）、・・・；（１、９）、（５、９）、（９、９）、・・・の順に読み出したのではＹｅのカラーフィルタに対応した画像信号しか出力されないのでカラー撮像を行うことができない。そこで、水平方向に４画素、垂直方向に４画素の１６画素を基本単位として、該基本単位の中から指定された色の信号を読み出すようにした。読み出す信号の数は単純に間引いた場合と同じであり、１画面の信号を得るのに要する時間は１／１６に短縮される。」（段落【００４５】）
　
(８)「［１、１］の基本単位の信号を読み出す場合には垂直走査シフトレジスタ９の出力信号のうち３行を選択する。この状態で、水平走査シフトレジスタ１０の出力信号により１列と３列を同時に選択する。これにより、（１、３）、（３、３）の、Ｙｅのカラーフィルタに対応した画素の信号のみが２画素加算されて読み出される。次に、［２、１］の基本単位の信号を読み出すために、垂直走査シフトレジスタ９の出力信号のうち３行は選択したままの状態で、水平走査シフトレジスタ１０の出力信号により６列と８列を同時に選択する。これにより、（６、３）、（８、３）の、Ｃｙのカラーフィルタに対応した画素の信号のみが２画素加算されて読み出される。」（段落【００４６】）
　
(９)「以下同様に、ＹｅとＣｙのカラーフィルタに対応する画像信号が交互に２画素分加算されて読み出されるように垂直走査シフトレジスタ９の出力信号と水平走査シフトレジスタ１０の出力信号が制御される。」（段落【００４７】）
　
(１０)「次に、［１、２］の基本単位の信号を読み出す場合には垂直走査シフトレジスタ９の出力信号のうち６行を選択した状態で、水平走査シフトレジスタ１０の出力信号により１列と３列を同時に選択する。これにより、（１、６）、（３、６）の、Ｍｇのカラーフィルタに対応した画像信号のみが２画素分加算されて読み出される。次に、［２、２］の基本単位の信号を読み出すために、垂直走査シフトレジスタ９の出力信号のうち６行は選択したままの状態で、水平走査シフトレジスタ１０の出力信号により６列と８列を同時に選択する。これにより、（６、６）、（８、６）のＧのカラーフィルタに対応した画像信号のみが２画素分加算されて読み出される。」（段落【００４８】）
　
(１１)「以下同様に、ＭｇとＧのカラーフィルタに対応する画像信号が交互に２画素分加算されて読み出されるように、垂直走査シフトレジスタ９の出力信号と水平走査シフトレジスタ１０の出力信号が制御される。」（段落【００４９】）
　
(１２)「上記と同様にして、垂直方向に３番目の基本単位の信号は、１番目と同様にＹｅとＣｙが交互に２画素加算されて読み出されるように、また、垂直方向に４番目の基本単位の信号は、ＧとＭｇが交互に２画素加算されて読み出されるように垂直走査シフトレジスタ９の出力信号と水平走査シフトレジスタ１０の出力信号が制御される。」（段落【００５０】）
　
(１３)「上記のようにして、垂直方向に１番目から４番目の基本単位の信号の読み出し方を繰り返すことにより、読み出された撮像素子２の出力信号は、図４（ｂ）に図示するようなカラーフィルタの配列を有する撮像素子の出力信号と等価になる。図４（ｂ）のカラーフィルタの配列は図４（ａ）に図示するものと相似形となるので、上記のベイヤ配列の実施例の場合と全く同様な効果を奏する。」（段落【００５１】）
　
　
　
２.対比
　本願発明と、刊行物３に記載されている
第１の実施の形態に係る他の実施例（第４図）
　
(１)「Ｘ−Ｙアドレス型固体撮像素子」について
　
　刊行物３発明の「撮像素子２」は、上記第４.１.(１)〜(３)、(６)の記載によれば、マトリクス状に配列した複数の画素からなるＸＹアドレス方式のものである。
　刊行物３発明の「カラーフィルタ」は、上記第４.１.(６)、(７)の記載によれば、Ｙｅ（Yellow）、Ｍｇ（Magenta ）、Ｃｙ（Cyan）、Ｇ（Green ）の配列からなり、それぞれ等分に分けて撮像素子２の前面に配置されている。
　刊行物３発明の「撮像素子２」が、本願発明の「画素が行列状に配列されるとともに、各画素に所定のカラーコーディングを持つカラーフィルタが形成されているＸ−Ｙアドレス型固体撮像素子」に相当することは明らかである。
　
　
(２)「駆動手段」について
　
　刊行物３発明において加算読み出しは、上記第４.１.(６)〜(１３)の記載によれば、水平方向に４画素、垂直方向に４画素の１６画素を基本単位として行われる。
　刊行物３発明において水平方向に４画素、垂直方向に４画素の１６画素を基本単位とする点は、本願発明において「行配列方向および列配列方向にて互いに隣接する複数の画素からなる画素ブロックを単位画素ブロック」とする点に相当し、刊行物３発明の「基本単位」は、本願発明の「単位画素ブロック」に相当する。
　
　本願発明では、「駆動手段」が「擬似的に１画素分の画素情報として読み出す」「単位画素ブロック内の同色フィルタの画素情報」の「配列方向」について、「行配列方向」としているところ、この「行配列方向」は、段落【００４４】の「縦方向（行配列方向）」なる記載からすれば、「縦方向」の意味であると認められる。
　
　刊行物３発明の「駆動制御回路３」は、上記第４.１.(２)、(４)、(６)〜(１３)の記載によれば、各基本単位内の水平方向における同色フィルタの２画素のみを加算読み出しするよう撮像素子２に各種信号を供給するものである。
　ここで、「駆動制御回路３」が２画素を加算読み出しする際の「水平方向」は、本願明細書の表記でいえば「列配列方向」である。
　また、「駆動制御回路３」の上記動作により、図４（ａ）のカラーフィルタを有する撮像素子２の出力信号は、上記第４.１.(１３)の記載によれば、図４（ｂ）に図示するようなカラーフィルタを有する撮像素子のものと等価になる。
　
　そうすると、刊行物３発明の「基本単位」が、本願発明の「単位画素ブロック」に相当することは上記のとおりであるから、刊行物３発明の「駆動制御回路３」は、「固体撮像素子から画素情報を間引いて読み出す過程において、行配列方向および列配列方向にて互いに隣接する複数の画素からなる画素ブロックを単位画素ブロックとし、当該単位画素ブロック内の
列配列方向
　そして、「列配列方向」か「行配列方向」かの上記相違はあるものの、いずれも「１つの配列方向」についての読み出しであることにかわりはない。
　
　
(３)「固体撮像装置」について
　刊行物３発明の「カラー撮像装置」は、本願発明でいう「固体撮像装置」に相当する。
　
　
(４)一致点、相違点
　
　以上から、本願発明と刊行物３発明とは、
［一致点］
「画素が行列状に配列されるとともに、各画素に所定のカラーコーディングを持つカラーフィルタが形成されているＸ−Ｙアドレス型固体撮像素子と、
　前記固体撮像素子から画素情報を間引いて読み出す過程において、行配列方向および列配列方向にて互いに隣接する複数の画素からなる画素ブロックを単位画素ブロックとし、当該単位画素ブロック内の１つの配列方向における同色フィルタの画素情報を擬似的に１画素分の画素情報として読み出す駆動手段と
　を備えたことを特徴とする固体撮像装置。」
　である点で一致し、次の点で相違する。
　
［相違点］
　「駆動手段」が「擬似的に１画素分の画素情報として読み出す」「単位画素ブロック内の同色フィルタの画素情報」の「１つの配列方向」が、本願発明では、「
行
列
　
　
　
３.判断
　上記相違点について検討する。
　刊行物３発明において、各単位画素ブロック毎に同色フィルタの２画素を加算読み出しするのは、上記第４.１.(５)の記載に「画像を間引いて出力する場合は、画像のサンプリング間隔が広くなるので、折り返し歪の発生を防止するために上記の実施例のように複数画素を加算して、開口のレスポンスを低下させることが望ましい。」とあるように、折り返し歪みの発生を防止するためであるところ、加算読み出しする２画素を、刊行物３発明のように１つの行に属するものとすれば、横方向に関して折り返し歪みの発生が防止できることは明らかである。
　刊行物３発明の「固体撮像素子」も、本願発明と同様、「Ｘ−Ｙアドレス型」である以上、１つの列に属する２画素を加算読み出しすることも技術的に何ら不都合無く行えるのであって、そのようにすれば、縦方向に関して折り返し歪みの発生が防止できることは明らかであるところ、折り返し歪みの発生を防止する方向を横方向とするか縦方向とするかは、当業者が必要に応じて適宜決め得る設計事項にすぎないものといえるから、刊行物３発明において、縦方向に折り返し歪みが発生することを防止すべく、加算読み出しする２画素を、１つの列に属するものとすることで、「駆動手段」が「擬似的に１画素分の画素情報として読み出す」「単位画素ブロック内の同色フィルタの画素情報」の「１つの配列方向」を、「行配列方向」とすることは当業者が容易に想到し得たことである。
　
　
　
４.効果等
　以上のとおり、上記相違点に係る本願発明の構成は、当業者が容易に想到し得たものであるところ、本願発明を全体としてみても、その作用効果は、上記刊行物３から当業者が予測できる範囲のものである。
　
　
　
５.まとめ（査定の検討）
　したがって、本願発明は、上記刊行物３に記載された発明に基づいて当業者が容易に発明をすることができたものである。
　
　
　
　
第５.むすび
　以上のとおり、本願請求項１に係る発明は、刊行物３に記載された発明に基づいて当業者が容易に発明をすることができたものであるから、他の請求項に係る発明について検討するまでもなく、本願は、特許法第２９条第２項の規定により特許を受けることができない。
　したがって、本願は拒絶をすべきものである。
　よって、結論のとおり審決する。